【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】
ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが該中央部に対して非対称に設けられ、該チャンネルブラシは該台座の外周に巻き付けて、止め金具で固定されたことを特徴とする洗浄ブラシ。
【請求項２】
ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが該中央部に対して非対称に設けられ、該チャンネルブラシは、該台座の外周に設けた溝部に着脱可能に固定されたことを特徴とする洗浄ブラシ。
【請求項３】
前記ブラシ片の複数のスリットは、ブラシ片の長手方向に対して直角方向で一定の幅毎に中央部を除いて設けられ、中央部に対する一方側のスリットと他方側のスリットは位相差を有して形成されたことを特徴とする請求項１または請求項２記載の洗浄ブラシ。
【請求項４】
前記ブラシ片の各スリットは、中央部のスリットのない幅が、略一定になるようにして設けられたことを特徴とする請求項１または請求項２記載のいずれかの洗浄ブラシ。
【請求項５】
前記チャンネルブラシのブラシ片の材質として、合成樹脂発泡体のほか、天然樹脂発泡体、織布、不織布、編物、天然繊維、化学繊維、天然樹脂、合成樹脂、天然ゴム、合成ゴム、ゲル材、フィルム材、メッシュ材であるか、これらの内、少なくとも１種類以上であることを特徴とする請求項１ないし請求項４記載のいずれかの洗浄ブラシ。
【手続補正２】
【補正対象書類名】明細書
【補正対象項目名】０００４
【補正方法】変更
【補正の内容】
【０００４】
【課題を解決するための手段】
本発明の洗浄ブラシは、上記の目的を達成するため次の手段を採った。すなわち、ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが該中央部に対して非対称に設けられ、該チャンネルブラシは該台座の外周に巻き付けて、止め金具で固定されたことを特徴としている。
【手続補正３】
【補正対象書類名】明細書
【補正対象項目名】０００５
【補正方法】変更
【補正の内容】
【０００５】
また、請求項２の発明では、ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが該中央部に対して非対称に設けられ、該チャンネルブラシは、該台座の外周に設けた溝部に着脱可能に固定されたことを特徴としている。
【手続補正４】
【補正対象書類名】明細書
【補正対象項目名】０００６
【補正方法】変更
【補正の内容】
【０００６】
また、請求項３の発明は、前記ブラシ片の複数のスリットは、ブラシ片の長手方向に対して直角方向で一定の幅毎に中央部を除いて設けられ、中央部に対する一方側のスリットと他方側のスリットは位相差を有して形成されたことを特徴としている。
【手続補正５】
【補正対象書類名】明細書
【補正対象項目名】０００７
【補正方法】変更
【補正の内容】
【０００７】
請求項４の発明は、前記ブラシ片の各スリットは、中央部のスリットのない幅寸法が、略一定になるようにして設けられたことを特徴としている。
【手続補正６】
【補正対象書類名】明細書
【補正対象項目名】０００８
【補正方法】変更
【補正の内容】
【０００８】
請求項５の発明は、前記チャンネルブラシのブラシ片の材質として、合成樹脂発泡体のほか、天然樹脂発泡体、織布、不織布、編物、天然繊維、化学繊維、天然樹脂、合成樹脂、天然ゴム、合成ゴム、ゲル材、フィルム材、メッシュ材であるか、これらの内、少なくとも１種類以上であることを特徴としている。
【手続補正７】
【補正対象書類名】明細書
【補正対象項目名】０００９
【補正方法】変更
【補正の内容】
【０００９】
【発明の実施の形態】
次に、請求項１の発明の洗浄ブラシを実施の形態１で、請求項２の発明の洗浄ブラシを実施の形態２で、請求項３の発明の洗浄ブラシを実施の形態３で、請求項４の発明の洗浄ブラシを実施の形態４で、請求項５の発明の洗浄ブラシを実施の形態５で、それぞれ図面に基づいて具体的に説明する。
実施の形態１
図４から図８にて実施の形態１を示す。図４は、本発明の洗浄ブラシを洗車ブラシとして使用した形態を前面側から見た斜視図である。図４において、１１は洗浄ブラシ、１２は台座、１３はチャンネルブラシ、１４はブラシ片、１５は止め金具、９１は爪、９２はネジである。図５は、図４に使用した台座、及び止め金具を前面側から見た斜視図である。図６は、図４に使用したブラシ片の正面図である。図６において、１６、２６はスリット、１７は中央部、２０は幅である。図７は、チャンネルブラシの製造方法を、前面側から見た斜視図である。図７において、１０は基台、１８は帯状体、８９は芯線、９７は縦ロール、９８は横ロールである。図８は、図４の洗浄ブラシの側面図である。図８において、１９は根部、３８は隙間である。
【手続補正８】
【補正対象書類名】明細書
【補正対象項目名】００２０
【補正方法】変更
【補正の内容】
【００２０】
洗浄ブラシ３１は、図１２の如く、台座３２、チャンネルブラシ３３、及び止め金具７５より構成されてある。台座３２は、略円筒形状からなり、外周には、チャンネルブラシ３３が形成されてあり、チャンネルブラシ３３は、止め金具７５により、固定されてある。チャンネルブラシ３３にはブラシ片３４が形成されてあり、図１３の如く、複数のスリットは、ブラシ片の長手方向に対して直角方向で一定の幅毎に中央部を除いて設けられ、中央部に対する一方側のスリットと他方側のスリットは位相差を有して形成されている。すなわち、中央部３７にて幅４０を形成すると共に、幅５０を形成する複数のスリット５６、及び幅６０を形成する複数のスリット６６が、ブラシ片３４の長手方向にたいして、位相差３５を有して、形成されている。
ブラシ片３４は、上記の形状となっている為、Ｃ−Ｃを折り込んで、図１２の如く、台座３２の外周にたいして、複数のスリット５６、及び６６が、互いにずれるようにして、巻き付けられて、形成される。その為、ブラシ片３４は、複数のスリット６６にて形成された隙間４８に、複数のスリット５６を有する側のブラシ片３４が、重ね合わされるようにして形成され、隙間４８が、複数のスリット５６を有する側のブラシ片３４により、補強されることにより、根部３９の毛腰を強くすることができる。
【手続補正９】
【補正対象書類名】明細書
【補正対象項目名】００２７
【補正方法】変更
【補正の内容】
【００２７】
洗浄ブラシ４１は、図１５の如く、台座４２、チャンネルブラシ４３、及び止め金具８５より構成されてある。台座４２は、略円筒形状からなり、外周には、チャンネルブラシ４３が形成されてあり、チャンネルブラシ４３は、止め金具８５により、固定されてある。チャンネルブラシ４３にはブラシ片５４が形成されてあり、図１６の如く、幅６５を有する複数のスリット９６が形成されてあり、中央部５７には幅５５が形成されてあると共に、幅５５は、ブラシ片５４の長手方向にたいして、いずれの箇所においても略一定に形成されている。すなわち、ブラシ片の各スリット９６は、中央部のスリットのない幅５５が、略一定の寸法になるようにして設けられている。
ブラシ片５４は、上記の形状となっている為、Ｅ−Ｅを折り込んで、図１５の如く、台座４２の外周にたいして、複数のスリット９６の長さが、互いに異なるようにして、巻き付けられて形成される。その為、ブラシ片５４は、複数のスリット９６にて形成された隙間５８を補強することができると共に、根部５９の毛腰を強くすることができる。
【手続補正１０】
【補正対象書類名】明細書
【補正対象項目名】図面の簡単な説明
【補正方法】変更
【補正の内容】
【図面の簡単な説明】
【図１】従来の洗浄ブラシを、前面側から見た斜視図である。
【図２】同、ブラシ片の斜視図である。
【図３】同、洗浄ブラシの側面図である。
【図４】実施の形態１の洗浄ブラシを洗車ブラシとして使用した形態を前面側から見た斜視図である。
【図５】図４に使用した台座、及び止め金具を前面側から見た斜視図である。
【図６】図４に使用したブラシ片の正面図である。
【図７】チャンネルブラシの製造方法を、前面側から見た斜視図である。
【図８】図４の洗浄ブラシの側面図である。
【図９】実施の形態２の洗浄ブラシを洗車ブラシとして使用した形態を前面側から見た斜視図である。
【図１０】図９の洗浄ブラシに使用したチャンネルブラシを前面側から見た斜視図である。
【図１１】図９の洗浄ブラシに使用したブラシ片の平面図である。
【図１２】実施の形態３の洗浄ブラシを洗車ブラシとして使用した形態の側面図である。
【図１３】図１２に使用したブラシ片の正面図である。
【図１４】実施の形態３の他の実施例として使用したブラシ片の正面図である。
【図１５】実施の形態４の洗浄ブラシを洗車ブラシとして使用した形態の側面図である。
【図１６】図１５に使用したブラシ片の正面図である。
【図１７】実施の形態５の洗浄ブラシを洗車ブラシとして使用した形態の側面図である。